【事件の表示】
　特許第３１４２７０５号「ドットマトリクス型表示装置」の請求項１に係る特許に対する特許異議の申立てについて、次のとおり決定する。
【結　論】
　訂正を認める。
　特許第３１４２７０５号の請求項１に係る特許を取り消す。
【理　由】
１．手続の経緯
　特許第３１４２７０５号は、平成５年１２月２８日に特許出願され、平成１２年１２月２２日に特許権の設定登録がされた。その後、異議申立人　足立信幸により請求項１に係る特許は取り消されるべき旨の特許異議の申立てがされ、取消理由が通知され、その指定期間内である平成１４年２月５日付けで訂正請求書が提出された。その後、訂正拒絶理由が通知され、その指定期間内である平成１４年４月２５日付けで手続補正書が提出されている。
　
２．訂正請求書の補正について
２−１．補正の内容
平成１４年４月２５日付手続補正書の手続補正の内容は、次の通りである。
　補正事項ａ
　平成１４年２月５日付訂正請求書で訂正請求した請求項１の「ドットマトリクス型表示パネルの垂直方向の表示解像度に対応するように、前記映像信号に対して垂直方向の拡大／縮小処理を行う拡大／縮小処理部」という記載を、訂正請求前の「入力された前記映像信号の垂直方向の解像度をドットマトリクス型表示パネルの垂直方向の表示解像度に一致させる拡大／縮小処理を行う拡大／縮小処理部」と補正する。
　補正事項ｂ
　平成１４年２月５日付訂正請求書で訂正請求した請求項２乃至請求項４の「ドットマトリクス型表示パネルの垂直方向の表示解像度に対応するように、前記映像信号に対して垂直方向の拡大／縮小処理を行う拡大／縮小処理部」という記載を、「入力された前記映像信号の垂直方向の解像度をドットマトリクス型表示パネルの垂直方向の表示解像度に一致させる拡大／縮小処理を行う拡大／縮小処理部」と補正する。
　補正事項ｃ
　平成１４年２月５日付訂正請求書で訂正請求した段落番号［００１０］中の「ドットマトリクス型表示パネルの垂直方向の表示解像度に対応するように、前記映像信号に対して垂直方向の拡大／縮小処理を行う拡大／縮小処理部」という記載を、訂正請求前の「入力された映像信号の垂直方向の解像度をドットマトリクス型表示パネルの垂直方向の表示解像度に一致させる拡大／縮小処理を行う拡大／縮小処理部」と補正する。
　
２−２．補正の適否の判断
　補正事項ａは、請求項１の「拡大／縮小処理部」についての訂正事項を削除して、訂正前の記載に戻すものであり、訂正請求書の要旨を変更するものではないから、補正を認める。
　補正事項ｂは、訂正前の従属形式で記載されていた請求項２乃至４を独立形式に書き換えるとともに「拡大／縮小処理部」について明りょうでない記載の釈明を目的として訂正請求していた訂正事項を、「拡大／縮小処理部」についての訂正事項を削除して、単に従属形式で記載されていた請求項２乃至４を独立形式に書き換えるようにするものであり、訂正請求書の要旨を変更するものではないから、補正を認める。
　補正事項ｃは、段落番号［００１０］中の「拡大／縮小処理部」についての訂正事項を削除して、訂正前の記載に戻すものであり、訂正請求書の要旨を変更するものではないから、補正を認める。
　
３．訂正請求について
３−１．訂正の内容
　上記「２．訂正請求書の補正について」で示したように補正が認められるから、平成１４年４月２５日付手続補正書で補正された平成１４年２月５日付訂正請求書による訂正の内容は次のとおりである。
　訂正事項Ａ
　特許請求の範囲請求項１の「映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備えたドットマトリクス型表示装置。」という記載を、「
計数用基準クロックを用いて映像信号中の水平同期信号の周波数を判別し、垂直同期信号期間内の水平同期信号の数を用いて垂直同期信号の周波数を
　訂正事項Ｂ
　特許請求の範囲請求項２乃至４の「【請求項２】前記クロック生成部を、その分周器の分周率が外部から入力される信号によって設定される位相ロックループ回路で形成し、前記分周率の設定情報をサンプリング数の設定情報として前記ドットマトリクス型表示パネルにオンスクリーン表示することを特徴とする請求項１に記載のドットマトリクス型表示装置。
【請求項３】前記周波数判別部としてマイクロコンピュータを用いるとともに、前記クロック生成部に、それに入力される前記水平同期信号の位相を連続的に変化させる機能を持たせ、前記水平同期信号の位相設定を前記マイクロコンピュータにて行うことを特徴とする請求項１に記載のドットマトリクス型表示装置。
【請求項４】前記クロック生成部に、それに入力される前記水平同期信号の位相を連続的に変化させる機能、および当該水平同期信号の位相を外部から入力される信号によって設定する機能を持たせ、前記水平同期信号の位相の設定情報を前記クロック信号の位相の設定情報として前記ドットマトリクス型表示パネルにオンスクリーン表示することを特徴とする請求項１に記載のドットマトリクス型表示装置。」を、「【請求項２】
映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備え、
【請求項３】
映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備え、
【請求項４】
映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備え、
　訂正事項Ｃ
　明細書中の段落番号［００１０］の「【課題を解決するための手段】　請求項１に記載の発明に係るドットマトリクス型表示装置は、水平同期信号および垂直同期信号の周波数をそれぞれ判別する周波数判別部と、この周波数判別部の判別結果が入力され、ディジタル化された映像輝度信号の前後の表示ラインとの間で演算処理を行って、入力された映像信号の垂直方向の解像度をドットマトリクス型表示パネルの垂直方向の表示解像度に一致させる拡大／縮小処理部を設けたものである。」という記載を、「【課題を解決するための手段】　請求項１に記載の発明に係るドットマトリクス型表示装置は、
計数用基準クロックを用いて映像信号中の水平同期信号の周波数を判別し、垂直同期信号期間内の水平同期信号の数を用いて垂直同期信号の周波数を判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、
　訂正事項Ｄ
　明細書中の段落番号［００１４］の「【作用】　請求項１に記載の発明における拡大／縮小処理部は、水平同期信号および垂直同期信号の周波数をそれぞれ判別する周波数判別部の判別結果を入力し、ディジタル化された映像輝度信号の前後の表示ライン間で演算処理を行い、入力された映像信号をドットマトリクス型表示パネルの垂直方向の解像度に一致させることにより、種々の異なった解像度および同期周波数の映像信号が入力された場合でも、正しく映像表示ができるドットマトリクス型表示装置を実現する。」という記載を、「【作用】　請求項１に記載の発明における拡大／縮小処理部は、
計数用基準クロックを用いて映像信号中の水平同期信号の周波数を判別し、垂直同期信号期間内の水平同期信号の数を用いて垂直同期信号の周波数を
　
３−２．訂正の目的の適否、新規事項の有無及び特許請求の範囲の拡張・変更の存否
　上記訂正事項Ａは、「周波数判別部」について訂正前の「映像信号中の水平同期信号および垂直同期信号の周波数をそれぞれ判別する周波数判別部と、」を「
計数用基準クロックを用いて映像信号中の水平同期信号の周波数を判別し、垂直同期信号期間内の水平同期信号の数を用いて垂直同期信号の周波数を
　
　上記訂正事項Ｂは、請求項１を引用して記載していた請求項２乃至４を単に独立形式に書き換えたものであるから、明りょうでない記載の釈明を目的とするものであり、新規事項の追加には該当せず、実質上特許請求の範囲を拡張又は変更するものではない。
　
　上記訂正事項Ｃ及びＤは、訂正事項Ａの請求項１の減縮に対応して発明の詳細な説明の欄の「課題を解決するための手段」及び「作用」の欄の記載を書き換えたものであり、明りょうでない記載の釈明を目的とするものである。そして、訂正事項Ａについて述べたと同様の理由で、新規事項の追加には該当せず、実質上特許請求の範囲を拡張又は変更するものではない。
　
３−３．むすび
　以上のとおりであるから、上記各訂正は、特許法第１２０条の４第３項において準用する平成６年法律第１１６号による改正前の特許法第１２６条第１項ただし書、第２項及び第３項の規定に適合しているので、当該訂正を認める。
　
４．特許異議申立てについて
４−１．本件発明
　上記「３．訂正請求について」で述べたように訂正が認められるから、本件特許の請求項１に係る発明は、訂正明細書及び図面の記載によれば訂正明細書の特許請求の範囲の請求項１に記載されたとおりのものと認められるところ、請求項１には次の事項が記載されている。（以下、請求項１に係る発明を「本件発明」という。）
「計数用基準クロックを用いて映像信号中の水平同期信号の周波数を判別し、垂直同期信号期間内の水平同期信号の数を用いて垂直同期信号の周波数を判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備えたドットマトリクス型表示装置。」
　
４−２．取消理由通知の概要
　特許第３１４２７０５号の請求項１に係る発明は、刊行物１（異議申立ての証拠甲第１号証：特開平５−１５０２１９号公報）及び刊行物２（異議申立ての証拠甲第２号証：特開平５−３１３６４６号公報）に記載された発明に基づいて当業者が容易に発明をすることができたものであるから、特許法第２９条第２項の規定に違反して特許されたものであり、当該特許は取り消されるべきものである。
　
４−３．刊行物記載の発明
（１）刊行物１（特開平５−１５０２１９号公報、甲第１号証）
　刊行物１には、特に第５図とともに、次の記載がある。
（ア）「全体のＬＣＤパネルがビデオディスプレイ用に有効であるので、ディスプレイにおけるラインの数がビデオ入力のラインの数を超えていたとしても、全体のＬＣＤパネルを利用することは有益なことである。これは、本発明の好適実施例においてはラインバッファメモリを設けることによって達成され、このラインバッファメモリはファーストインファーストアウト（ＦＩＦＯ）メモリであり、これは６４０画素分の有効なメモリを備えている（カラーを記憶する場合には各々に対して３個）。各ラインは二重走査され、各ラインの入ってくるビデオ信号はＬＣＤパネルの隣接する２つのライン上に表示される。この結果、ビデオはもっと良好に見え、画像のアスペクト比も良好になる。」（第６頁右欄第４６行から第７頁左欄第８行）
（イ）「入力ビデオ信号の水平および垂直同期パルスは、マイクロコントローラによって分析され、水平ライン周波数、フレーム周波数および信号関係（反転等）を決定することができる。このような情報により、ルックアップテーブルにより入力ビデオ信号を識別し、待ち時間タイミングを発生し、二重走査、直接駆動をエネーブルまたはディスエーブルし、ビデオデータタイミングを調整して、ビデオ入力に基づいてＬＣＤに所望のビデオ出力を付与する。」（第７頁右欄第５〜１３行）
（ウ）「上述した全てを達成する好適実施例が図５に示されている。ＲＧＢおよび同期データを構成するアナログ、ディジタル、複合、ＴＴＬ等のビデオ入力がコンピュータからフロントエンド３０に供給される。フロントエンド３０は入ってくるビデオデータを処理し、ＡＤコンバータと適合し得る通常の回路を有している。フロントエンド３０は入力ビデオ信号から赤、緑、青のアナログ出力および垂直同期および水平同期出力信号を提供する。垂直同期および水平同期情報は、同期コントローラおよびデータパスマネージャ３２およびマイクロコントローラ３４に供給される。ビデオ入力がカラーでなく、白黒である場合には、アナログ出力信号が赤、緑および青のアナログ出力信号の代わりに供給される。」（第７頁右欄第１４〜２６行）
（エ）「図５のダイアグラムに示すように、マイクロコントローラ３４の８０５１プロセッサは、ビデオ入力として供給される水平および垂直同期信号の特性を常に監視している。同期信号の周波数は８０５１のクロックの水晶に基づいており、すなわち周波数はある同期間隔で発生するクロックサイクルに基づいて計算される。上述したビデオフォーマットは、まず３１ＫＨＺの水平同期レートによって識別される。このレートは３つのビデオに対して共通であるが、装置に供給される他のビデオフォーマット（すなわち、約３４ＫＨＺの水平同期レートを有するアップル・マッキントッシュＩＩビデオ）に対して独自のものである。これら３つのビデオフォーマットは、垂直フーレムレートおよび垂直同期信号の「センス(sense)」（すなわち、同期信号が多くの場合に正または負のどちらであるか）を続いて調べることによって互いに分類される。看取され得るように、これはこれらのビデオの各々を別個のものとして識別する。」（第９頁左欄第４６行から右欄１２行）
（オ）「（１）ＶＧＡグラフィックス：同期発生器４６は、ＶＣＯ５０の画素クロック出力からの８００カウント毎に再生水平同期信号を出力するようにプログラムされる。次いで、検出器４８において、この再生水平同期信号を、位相および周波数に関して、入ってくる水平同期信号と連続的に比較し、画素クロックを出力する。更に、同期発生器４６は、再生垂直同期信号を発生するようにプログラムされる。画素クロックを使用し、入ってくるカラー信号をディジタル化するコンバータ３６内の３つの高速フラッシュＡ／Ｄコンバータを駆動する。マルチチャンネルＤ／Ａコンバータを設けることができ、フロントエンド３０における利得を制御するようにプログラムする。このコンバータは、適当なコントラストおよび輝度のためにコンバータオフセットを調整する。また画素クロックを使用し、ディジタル化されたビデオデータを周期的に再同期する。
　　　【００５６】
　ディジタル化されたビデオ信号を、グレイスケーリングロジック４０によって処理し、ついで再生された水平および垂直信号を使用して、「グルー」ロジックによってＬＣＤパネルにクロック入力する。入ってくるビデオ信号は、ＬＣＤパネルのように６４０×４８０画素形式であるので、適当な表示のために特別な配慮は必要としない。」（第９頁右欄第１５〜３７行）
（カ）「ＩＩＩ．ＣＧＡビデオ
　ＣＧＡビデオはＩＢＭによってもはや使用されていない旧式のＩＢＭスタンダードであるが、まだ広く使用されている。ビデオは各６４０画素の２００ラインとしてフォーマットされる。ＣＧＡを有効に表示するために、二重走査技術が使用され、「グルー」ロジック４４は、６４０×４００ラインの表示を発生する二重走査を開始するために、ラインバッファ（ＦＩＦＯメモリ３８）をエネーブルする。二重走査は、ブランキング期間をも二重化し、待ち時間技術を必要とすることなく、４８０ラインのＬＣＤ上に６４０×２００の画像を表示できることに注意されたい。しかしながら、たとえば１５０ラインのデータのビデオに遭遇するような場合には、最も好ましく有効なディスプレイのために「二重走査」および「待ち時間」技術の両方を使用することもできる。」（第１０頁左欄第３８行から右欄第２行）
（キ）また、第５図には、「同期発生器４６」で発生した再生水平信号と水平同期信号とを「位相および周波数検出器４８」で比較し、比較した信号により「電圧制御発振器５０」で画素クロックを発生させ、画素クロックを「同期発生器４６」で分周して再生水平信号を発生させる回路（いわゆるＰＬＬ回路）が記載されている。
　
　上記記載事項（イ）及び（エ）から、マイクロコントローラ３４はクロックを用いて水平同期信号および垂直同期信号の周波数を判別している。
　また、上記記載事項（オ）及び（キ）から、同期発生器４６、位相および周波数検出器４８及び電圧制御発振器５０から成る回路は、いわゆるＰＬＬ回路であり、水平同期信号の周波数を整数倍した周波数を有する画素クロックを、水平同期信号に同期して生成することが明らかである。
　また、上記記載事項（ウ）及び（オ）から、「コンバータ３６」は、画素クロックを用いて入力ビデオ信号から分離したアナログ出力信号をアナログ信号からディジタル信号に変換するものである。
　さらに、上記記載事項（カ）から、ラインバッファメモリ（ＦＩＦＯメモリ３８）、グルーロジック４４等から成る回路は、同期信号の判別結果が入力され、ＬＣＤパネルの垂直方向の表示解像度に一致するようにディジタル信号に変換された信号に対して垂直方向の拡大処理を行うものである。
　以上をまとめると、刊行物１には、「クロックを用いてビデオ信号中の水平同期信号および垂直同期信号の周波数を判別するマイクロコントローラ３４と、前記水平同期信号の周波数を整数倍した周波数を有する画素クロックを、前記水平同期信号に同期して生成する「同期発生器４６、位相および周波数検出器４８及び電圧制御発振器５０から成る回路」と、前記画素クロックを用いて前記ビデオ信号から分離したアナログ出力信号をアナログ信号からディジタル信号に変換するコンバータ３６と、マイクロコントローラ３４の判別結果が入力され、入力された前記ビデオ信号の垂直方向の解像度をＬＣＤパネルの垂直方向の表示解像度に一致させる拡大処理を行う「ラインバッファメモリ（ＦＩＦＯメモリ３８）、グルーロジック４４等から成る回路」とを備えたＬＣＤパネルを用いた表示装置」（刊行物１記載の発明）が記載されていると認められる。
　
（２）刊行物２（特開平５−３１３６４６号公報、甲第２号証）
　刊行物２には、次の記載がある。
（ク）「本発明の目的は、メモリに蓄積されたデジタル映像の固定の解像度に影響することなく任意の拡大縮小による動画の再生を実現することにある。」（第２頁左欄第４３〜４５行）
（ケ）「図１は本発明の回路ブロック図である。まず、映像データの記憶されたフレーム記憶部１から、映像データを垂直拡大縮小回路部４により垂直補間回路部２に送られライン間の補間を行なう。その後、水平拡大縮小回路部５により水平補間回路部３に送られドット間の補間を行なう。そこで、得られた映像データをＤＡＣ部６によりデジタル信号からアナログ信号に変換させ、映像スイッチ７によりパソコンからの映像信号であるパソコン映像信号９により、任意の表示サイズでスーパーインポーズさせた映像信号８を出力させることができる。」（第２頁右欄第５〜１５行）
　そして、特に上記記載事項（ケ）の「映像データの記憶されたフレーム記憶部１から、映像データを垂直拡大縮小回路部４により垂直補間回路部２に送られライン間の補間を行なう。」という記載から、刊行物２には、ディジタル映像信号の拡大縮小処理において、ディジタル映像信号の前後の表示ラインとの間で演算処理することにより、ディジタル映像信号に対して垂直方向の拡大／縮小処理を行うこと、が記載されていると認められる。
  
４−４．対比・判断
　本件発明と刊行物１記載の発明とを対比すると、刊行物１記載の発明の「クロック」「ビデオ信号」「画素クロック」「同期発生器４６、位相および周波数検出器４８及び電圧制御発振器５０から成る回路」「ビデオ信号から分離したアナログ出力信号」「コンバータ３６」は、それぞれ本件発明の「計数用基準クロック」「映像信号」「画素クロック」「クロック生成部」「映像信号中の映像輝度信号」「アナログ・ディジタル変換部」に相当することが明らかである。また、刊行物１記載の発明の「マイクロコントローラ３４」及び「ラインバッファメモリ（ＦＩＦＯメモリ３８）、グルーロジック４４等から成る回路」は、それぞれ本件発明の「周波数判別部」及び「垂直方向の拡大／縮小処理を行う拡大／縮小処理部」に対応している。そして、ＬＣＤパネルがドットマトリクス型表示パネルに含まれることが明らかであるから、刊行物１記載の発明の「ＬＣＤパネル」及び「ＬＣＤパネルを用いた表示装置」は、本件発明の「ドットマトリクス型表示パネル」「ドットマトリクス型表示装置」に当たる。
　してみると、両者は「計数用基準クロックを用いて映像信号中の水平同期信号の周波数を判別するとともに、垂直同期信号の周波数を判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、入力された前記映像信号の垂直方向の解像度をドットマトリクス型表示パネルの垂直方向の表示解像度に一致させる拡大処理を行う拡大処理部とを備えたドットマトリクス型表示装置。」である点で一致し、次の点で相違する。
（相違点１）周波数判別部において垂直同期信号の周波数を判別する際に、本件発明では、垂直同期信号期間内の水平同期信号の数を用いているのに対して、引用刊行物１記載の発明では、垂直同期信号期間内のクロックの数を用いている点。
（相違点２）垂直方向の拡大／縮小処理を行う拡大／縮小処理部に関して、本件発明では、「ディジタル信号に変換された映像輝度信号の前後の表示ラインとの間で演算処理する」構成、及び「縮小処理を行う」構成も具備しているのに対して、刊行物１記載の発明はそのような構成を備えていない点。
　
　上記相違点について検討する。
　相違点１について、垂直同期信号の周波数を判別する手段として、垂直同期信号期間内の水平同期信号を計数し、水平同期信号の数を用いて判別することも周知の技術である（例えば、特開平４−２７１３９５号公報、特開平４−３２８９７２号公報、特開平４−３４９７９４号公報を参照）から、この周知技術を刊行物１記載の発明に用いて、計数用基準クロックを用いて水平同期信号の周波数を判別し、垂直同期信号期間内の水平同期信号の数を用いて垂直同期信号の周波数を判別するようにすることは当業者ならば容易に想到し得たものである。
　相違点２について、上記「４−３．刊行物記載の発明」で述べたように、刊行物２には、「ディジタル映像信号の拡大縮小処理において、ディジタル映像信号の前後の表示ラインとの間で演算処理することにより、ディジタル映像信号に対して垂直方向の拡大／縮小処理を行うこと」が記載されており、同じくディジタル映像信号の垂直方向の処理を行う刊行物１記載の発明に、この技術思想を用いることは当業者ならば容易に想到し得たものである。
　
　そして、本件発明の作用効果も、刊行物１及び刊行物２記載の発明から当業者であれば予測し得る程度のものである。
　
４−５．むすび
　以上のとおりであるから、本件発明（請求項１に係る発明）は、上記刊行物１及び刊行物２に記載された発明並びに上記周知技術に基づいて当業者が容易に発明をすることができたものであるから、特許法第２９条第２項の規定により特許を受けることができない。
　したがって、本件発明についての特許は拒絶の査定をしなければならない特許出願に対してなされたものである。
　よって、結論のとおり決定する。
【異議決定日】
平成１４年５月２８日（２００２．５．２８）
【訂正の要旨】
訂正の要旨
　審決（決定）の【理由】欄参照。
（５４）【発明の名称】
ドットマトリクス型表示装置
（５７）【特許請求の範囲】
　【請求項１】　
計数用基準クロックを用いて映像信号中の水平同期信号の周波数を判別し、垂直同期信号期間内の水平同期信号の数を用いて垂直同期信号の周波数を
　【請求項２】　
映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備え、
前記クロック生成部を、その分周器の分周率が外部から入力される信号によって設定される位相ロックループ回路で形成し、前記分周率の設定情報をサンプリング数の設定情報として前記ドットマトリクス型表示パネルにオンスクリーン表示することを特徴とす
るド
　【請求項３】　
映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備え、
前記周波数判別部としてマイクロコンピュータを用いるとともに、前記クロック生成部に、それに入力される前記水平同期信号の位相を連続的に変化させる機能を持たせ、前記水平同期信号の位相設定を前記マイクロコンピュータにて行うことを特徴とす
るド
　【請求項４】　
映像信号中の水平同期信号および垂直同期信号の周波数をそれぞれ判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、入力された前記映像信号の垂直方向の解像度をドットマトリクス型表示パネルの垂直方向の表示解像度に一致させる拡大／縮小処理を行う拡大／縮小処理部とを備え、
前記クロック生成部に、それに入力される前記水平同期信号の位相を連続的に変化させる機能、および当該水平同期信号の位相を外部から入力される信号によって設定する機能を持たせ、前記水平同期信号の位相の設定情報を前記クロック信号の位相の設定情報として前記ドットマトリクス型表示パネルにオンスクリーン表示することを特徴とす
るド
【発明の詳細な説明】
　【０００１】
　【産業上の利用分野】
　この発明は、プラズマディスプレイ、液晶ディスプレイ、エレクトロルミネッセンスディスプレイ等で代表されるドットマトリクス型表示装置に関するものであり、特にその信号処理に関するものである。
　【０００２】
　【従来の技術】
　図９は従来のドットマトリクス型表示装置を示すブロック図である。図において、１は図形やキャラクタなどの映像が表示されるドットマトリクス型表示パネルであり、２はこのドットマトリクス型表示パネル１の行電極を駆動する行ドライバ、３は同じく列電極を駆動する列ドライバである。４は水平同期信号よりクロック信号を生成するクロック生成部であり、５は入力されたアナログ信号による映像輝度信号をこのクロック生成部４からのクロック信号を用いてサンプリングし、ディジタル化するアナログ・ディジタル変換部（以下、Ａ／Ｄ変換部という）である。６はこのＡ／Ｄ変換部５にてディジタル化された１フレーム分の映像輝度信号を格納するフレームメモリであり、７はこのフレームメモリ６の書き込み／読み出しを制御するメモリコントローラである。８は水平同期信号、垂直同期信号およびクロック生成部４の生成したクロック信号に基づいて、行ドライバ２、列ドライバ３およびメモリコントローラ７の動作タイミングを制御するタイミングコントローラである。
　【０００３】
　次に動作について説明する。このように構成されたドットマトリクス型表示装置は、水平および垂直方向に画素数が固定された構造を有するため、ブラウン管型の表示装置とは違い、２次元平面上でサンプリングされた映像信号によって駆動する必要がある。ここで、この映像信号は通常、垂直同期信号、水平同期信号および映像輝度信号によって構成されており、この３つの信号が個別な信号、あるいは図１０に示すような複合された信号となっている。この図１０においては垂直同期信号をＶ、水平同期信号をＨ、映像輝度信号をＹ１，Ｙ２，Ｙ３，・・・・・でそれぞれ示している。なお、映像信号がこのような構成を持っているのは、ブラウン管型表示装置に表示することを前提としているからであり、ドットマトリクス型表示装置に適用する場合には適当な処理を施す必要がある。
　【０００４】
　即ち、映像輝度信号は垂直方向については既にサンプリングされた状態にある。水平同期信号がその区切りを示しており、図１１に示すように、ドットマトリクス型表示パネル１の垂直方向に配列されている行電極のそれぞれに、１本当たり１水平同期分の映像輝度信号Ｙ１，Ｙ２，Ｙ３，・・・・・を割り当てればよい。しかしながら、水平方向については映像輝度信号が連続したアナログ信号であるため、映像輝度信号のサンプリング（標本化）および量子化を行う必要がある。従って、図１１に示すように、１水平同期期間内の有効映像輝度信号をドットマトリクス型表示パネル１が持っている水平方向の表示解像度（列電極の数＝列画素数）に応じたクロック信号を用い、例えばその立ち上がりにおいて標本化し、その標本値を量子化する。
　【０００５】
　図９に示したドットマトリクス型表示装置においては、アナログにて入力された映像輝度信号がＡ／Ｄ変換部５に入力されてサンプリングされ、ディジタルの映像輝度信号に変換されてフレームメモリ６に格納される。なお、このフレームメモリ６は階調表示を行うために備えられている。ここで、このＡ／Ｄ変換部５で使用されるサンプリング用のクロック信号はクロック生成部４によって、その周波数がドットマトリクス型表示パネル１の水平方向の表示解像度に応じて固定された水平同期信号の周波数の整数倍となるように、当該水平同期信号に同期して生成される。
　【０００６】
　タイミングコントローラ８はこのクロック生成部４で生成されたクロック信号と、入力された垂直同期信号および水平同期信号に基づいて種々のタイミング信号を生成し、それをメモリコントローラ７、行ドライバ２、列ドライバ３に供給してそれらの動作タイミングを制御する。メモリコントローラ７はこのタイミングコントローラ８からのタイミング信号に基づいてフレームメモリ６で使用する書き込み、読み出しのための制御信号を生成し、それをフレームメモリ６に送ってディジタル化された映像輝度信号の書き込み、読み出しを行う。このフレームメモリ６より読み出されたディジタルの映像輝度信号は列ドライバ３に送られ、表示のための点灯制御信号としてドットマトリクス型表示パネル１の列電極に供給され、行ドライバ２によって選択された行電極との交点部の画素を所定の輝度で発光させる。
　【０００７】
　なお、このような従来のドットマトリクス型表示装置に関連した技術が記載された文献としては、例えば特開平３−１３６０９４号公報、特開昭５９−１３３５８９号公報などがある。
　【０００８】
　【発明が解決しようとする課題】
　従来のドットマトリクス型表示装置は以上のように構成されているので、映像信号が有する解像度に応じた表示解像度を持つドットマトリクス型表示パネル１を必要とし、また、それぞれのドットマトリクス型表示装置で個々に定められた映像信号以外の映像信号を入力した場合、同期が取れなくなって映像が正しく表示できないなどの問題点があった。
　【０００９】
　この発明は上記のような問題点を解消するためになされたもので、種々の異なった解像度および同期周波数の映像信号を入力しても、正しく映像の表示が行えるドットマトリクス型表示装置を得ることを目的とする。
　【００１０】
　【課題を解決するための手段】
　請求項１に記載の発明に係るドットマトリクス型表示装置は、
計数用基準クロックを用いて映像信号中の水平同期信号の周波数を判別し、垂直同期信号期間内の水平同期信号の数を用いて垂直同期信号の周波数を判別する周波数判別部と、前記水平同期信号の周波数を整数倍した周波数を有するクロック信号を、前記水平同期信号に同期して生成するクロック生成部と、前記クロック信号を用いて前記映像信号中の映像輝度信号をアナログ信号からディジタル信号に変換するアナログ・ディジタル変換部と、前記周波数判別部の判別結果が入力され、ディジタル信号に変換された前記映像輝度信号の前後の表示ラインとの間で演算処理することによって、
拡大／縮小処理を行う
　【００１１】
　請求項２に記載の発明に係るドットマトリクス型表示装置は、クロック生成部を位相ロックループ回路で形成してその分周器の分周率を外部からの入力信号にて設定し、当該分周率の設定情報をサンプリング数の設定情報としてオンスクリーン表示するものである。
　【００１２】
　請求項３に記載の発明に係るドットマトリクス型表示装置は、入力される水平同期信号の位相を連続的に変化させる機能をクロック生成部に持たせ、水平同期信号の位相設定を周波数判別部となるマイクロコンピュータにて行うものである。
　【００１３】
　請求項４に記載の発明に係るドットマトリクス型表示装置は、入力される水平同期信号の位相を連続的に変化させる機能と、その水平同期信号の位相を外部からの入力信号で設定する機能をクロック生成部に持たせ、この水平同期信号の位相の設定情報をクロック信号の位相設定情報としてオンスクリーン表示するものである。
　【００１４】
　【作用】
　請求項１に記載の発明における拡大／縮小処理部は、
計数用基準クロックを用いて映像信号中の水平同期信号の周波数を判別し、垂直同期信号期間内の水平同期信号の数を用いて垂直同期信号の周波数を
　【００１５】
　請求項２に記載の発明におけるクロック生成部は、位相ロックループ回路によって形成され、その分周器の分周率が外部からの入力信号によって設定されて、その分周率の設定情報をサンプリング数の設定情報としてオンスクリーン表示する。
　【００１６】
　請求項３に記載の発明における周波数判別部は、マイクロコンピュータによって形成されて、入力される水平同期信号の位相を連続的に変化させる機能を備えたクロック生成部の水平同期信号の位相を設定する。
　【００１７】
　請求項４に記載の発明におけるクロック生成部は、入力される水平同期信号の位相を連続的に変化させる機能を有して、外部からの入力信号でその水平同期信号の位相が設定され、その水平同期信号の位相の設定情報をクロック信号の位相の設定情報としてオンスクリーン表示する。
　【００１８】
　【実施例】
実施例１．
　以下、この発明の実施例１を図について説明する。図１はこの発明の一実施例を示すブロック図で、図において、１はドットマトリクス型表示パネル、２は行ドライバ、３は列ドライバ、５はＡ／Ｄ変換部、６フレームメモリ、７はメモリコントローラ、８はタイミングコントローラであり、図９に同一符号を付した従来のそれらと同一、もしくは相当部分であるため詳細な説明は省略する。９は映像輝度信号とともに供給される水平同期信号および垂直同期信号の計時を行い、各同期信号の周波数をそれぞれ判別する周波数判別部である。１０はこの周波数判別部９の判別結果が入力され、Ａ／Ｄ変換部５にてディジタル信号に変換された映像輝度信号を、表示ライン単位で記憶して前後の表示ラインとの間で演算処理することにより、入力された映像信号の垂直方向の解像度をドットマトリクス型表示パネル１の垂直方向の表示解像度に一致させるための拡大／縮小処理を行う拡大／縮小処理部である。１１は図９に符号４を付して示したものに相当するクロック生成部であるが、それを構成している位相ロックループ（以下、ＰＬＬという）回路が複数の電圧制御発振器（以下、ＶＣＯという）を持ち、それらを周波数判別部９の判別結果によって切り換えて使用している点でそれとは異なっている。
　【００１９】
　また、図２は前記周波数判別部９の構成例を示すブロック図であり、図において、２１は垂直同期信号でリセットされて水平同期信号を計数する水平同期カウンタ、２２はこの水平同期カウンタ２１の計数値をラッチするラッチ回路、２３はこのラッチ回路でラッチされた値を垂直同期信号期間内の水平同期信号の数の設定値と比較し、判別結果の１つとしての垂直方向選択信号を生成する比較器、２４はその垂直同期信号期間内の水平同期信号の数の設定値を保持するプリセット回路であり、２５は水平同期信号でリセットされて計数用基準クロックを計数するクロックカウンタ、２６はこのクロックカウンタ２５の計数値をラッチするラッチ回路、２７はこのラッチ回路でラッチされた値を水平同期信号期間内の計数用基準クロック数の設定値と比較し、判別結果の１つとしての水平方向選択信号を生成する比較器、２８はその水平同期信号期間内のクロック信号の数の設定値を保持するプリセット回路である。
　【００２０】
　図３は前記拡大／縮小処理部１０の構成例を示すブロック図であり、図において、３０は映像信号の垂直方向の縮小処理を行う垂直方向縮小処理部、４０は映像信号の垂直方向の拡大処理を行う垂直方向拡大処理部である。この垂直方向縮小処理部３０内において、３１はＡ／Ｄ変換部５でディジタル信号に変換された１ライン分の映像輝度信号を保持するラインメモリ、３２はこのラインメモリ３１に保持された映像輝度信号と新たに入力された映像輝度信号とを加算する加算器、３３はこの加算器３２の出力値を２で除算する１／２割算器、３４は周波数判別部９からの垂直方向選択信号と水平同期信号との論理値に従って、入力された映像輝度信号、１／２割算器３３の出力信号、および信号なしの３つの中より１つを選択するデータセレクタである。また、垂直方向拡大処理部４０内において、４１および４２はＡ／Ｄ変換部５でディジタル信号に変換された映像輝度信号を１ライン分保持するラインメモリ、４３は水平同期信号に従って動作し、映像輝度信号を保持させるラインメモリ４１，４２の選択を行うデータセレクタ、４４は水平同期信号に従ってデータセレクタ４３とは逆に動作して、保持されている映像輝度信号を取り出すラインメモリ４１，４２の選択を行うデータセレクタである。５０は周波数判別部９からの垂直方向選択信号に従って、垂直方向縮小処理部３０と垂直方向拡大処理部４０の出力信号の一方を選択するデータセレクタである。
　【００２１】
　さらに、図４はクロック生成部１１の構成例を示すブロック図であり、図において、６１，６２は入力電圧によってその発振周波数が制御され、互いに適用される周波数範囲が異なったＶＣＯ、６３はこのＶＣＯ６１，６２の発振出力の一方を周波数判別部９からの水平方向選択信号に従って選択し、それをクロック信号として出力するセレクタ、６４はそのクロック信号を所定の分周率Ｎ（Ｎは１以上の整数）で１／Ｎ分周する分周器、６５はこの分周率Ｎがプリセットされるプリセット回路、６６は分周器６４の出力と入力された水平同期信号の位相を比較する位相比較器、６７はこの位相比較器６６の出力よりＶＣＯ６１，６２の制御電圧を生成するローパスフィルタ（以下、ＬＰＦという）である。
　【００２２】
　次に動作について説明する。周波数判別部９では、映像輝度信号とともに供給される水平同期信号と垂直同期信号が入力されると、水平同期カウンタ２１はその水平同期信号によってカウントアップされ、垂直同期信号によってリセットされて、ラッチ回路２２はこの水平同期カウンタ２１の計数値を垂直同期信号に同期して保持する。従って、このラッチ回路２２には垂直同期信号期間内の水平同期信号の数が保持されることとなる。比較器２３はこのラッチ回路２２に保持された値を、前もってプリセット回路２４に設定しておいた垂直同期信号期間内の水平同期信号の数の設定値と比較することによって、計数された垂直同期信号期間内の水平同期信号の数と設定値との大小関係を判別し、その判別結果を垂直方向選択信号として出力する。
　【００２３】
　同様にして、クロックカウンタ２５は計数用基準クロックによってカウントアップされ、水平同期信号によってリセットされて、ラッチ回路２６はこのクロックカウンタ２５の計数値を水平同期信号に同期して保持する。従って、このラッチ回路２６には水平同期信号期間内の計数用基準クロックの数が保持されることとなる。比較器２７はこのラッチ回路２６に保持された値を、前もってプリセット回路２８に設定しておいた水平同期信号期間内の計数用基準クロック数の設定値と比較することによって、計数された水平同期信号期間内の計数用基準クロックの数と設定値との大小関係を判別し、その判別結果を水平方向選択信号として出力する。従って、プリセット回路２４および２８に設定しておく、垂直同期信号期間内の水平同期信号の数と水平同期信号期間内の計数用基準クロック数の設定値を種々設定することにより、あらゆる垂直同期信号および水平同期信号についてその周波数を特定することが可能となる。なお、このようにして得られた垂直方向選択信号は拡大／縮小処理部１０に、また、水平方向選択信号はクロック生成部１１にそれぞれ送られる。
　【００２４】
　次に、拡大／縮小処理部１０の動作について説明する。この拡大／縮小処理部１０では、垂直方向縮小処理部３０においてＡ／Ｄ変換部５でディジタル信号に変換された映像輝度信号を処理して映像信号の垂直方向の縮小処理を行い、垂直方向拡大処理部４０において当該映像輝度信号を処理して映像信号の垂直方向の拡大処理を行う。データセレクタ５０は周波数判別部９からの垂直方向選択信号によって切り換えられ、この垂直方向縮小処理部３０で縮小処理された映像輝度信号と、垂直方向拡大処理部４０で拡大処理された映像輝度信号のいずれか一方を選択してフレームメモリ６に出力する。
　【００２５】
　なお、垂直方向縮小処理部３０では、Ａ／Ｄ変換部５にてディジタル信号に変換された映像輝度信号が１ライン分、ラインメモリ３１に保持される。このラインメモリ３１に保持された映像輝度信号は新たに入力された映像輝度信号とともに加算器３２に入力されて加算され、１／２割算器３３にて２で除算されて両者の平均値が算出される。データセレクタ３４はＡ／Ｄ変換部５からの映像輝度信号が直接入力される端子Ａ、１／２割算器３３の出力が入力される端子Ｂ、および何の信号も入力されていない端子Ｃを有しており、水平同期信号と周波数判別部９からの垂直方向選択信号との論理値に従って、これら３つの端子中の１つを選択する。従って、このデータセレクタ３４からは実時間のディジタル映像輝度信号、加算平均されたディジタル映像輝度信号、および無信号のうちのいずれかが垂直方向選択信号と水平同期信号との論理値に応じて出力される。
　【００２６】
　ここで、映像信号を垂直方向に縮小するには、映像信号を表示ライン単位で単純に間引けばよく、その場合、データセレクタ３４は端子Ａか端子Ｃを選択すればよい。しかしながら、そのような単純な間引きでは表示画像の垂直方向の滑らかさを損なうことがある。この実施例では、垂直方向の映像を滑らかなものとするために端子Ｂに入力する前後の信号を加算平均したディジタル映像輝度信号を用いている。そのことを、映像信号を２／３に縮小する場合、即ち、垂直方向の表示解像度（行画素数）がＭラインのドットマトリクス型表示パネル１に、垂直方向の解像度が１．５Ｍラインの映像信号を表示する場合を例に、図５を用いて説明する。
　【００２７】
　単純な間引きによる場合には、図５（ａ）に示すように３ラインについて１ラインが間引かれ、残った２ラインが間をつめて表示用の映像輝度信号として用いられる。従って、間のラインの間引きが行われた部分と行われなかった部分とではサンプリング間隔が不均一となり、垂直方向の映像の滑らかさが損なわれることとなる。しかしながら、図５（ｂ）に示すように、前後の信号を加算平均した映像輝度信号（図中に一点鎖線で表示）で実時間の映像輝度信号（図中に実線で表示）の間を補間して、それら両信号より３ラインについて２ライン（図中に×印を付したもの）を間引いてゆけば、サンプリング間隔は均一となって映像輝度情報の不連続が緩和され、垂直方向の映像の滑らかさが損なわれることがなくなる。なお、その場合データセレクタ３４の切り換え信号は、垂直方向選択信号と水平同期信号のタイミングを組合せて、端子がＡ，Ｃ，Ｃ，Ｂ，Ｃ，Ｃ，Ａ，Ｃ，Ｃ，・・・・・と選択されるように作成する。
　【００２８】
　また、垂直方向拡大処理部４０は、例えば映像信号を２倍に拡大する場合、即ち、垂直方向の表示解像度（行画素数）がＭラインのドットマトリクス型表示パネル１に、垂直方向の解像度が０．５Ｍラインの映像信号を表示する場合に用いられる。Ａ／Ｄ変換部５でディジタル信号に変換された映像輝度信号は、水平同期信号によって切り換えられるデータセレクタ４３によって、ラインメモリ４１と４２に１ライン分ずつ交互に書き込まれる。一方、データセレクタ４４はこのデータセレクタ４３が選択しているものとは逆のラインメモリ４２あるいは４１を、同じく水平同期信号に従って選択する。なお、このラインメモリ４１および４２の読み出しは、図６に示すようにそれぞれ２度ずつ行われる。このようにして、同一の映像輝度信号を２ラインに対して供給し、表示ライン数を２倍にすることで垂直方向に２倍に拡大された表示を得ている。
　【００２９】
　一方、水平方向において入力された映像信号の全領域をドットマトリクス型表示パネル１に表示するためには、アナログ信号で入力される１ライン分の映像輝度信号を水平方向の表示解像度（列画素数）でサンプリングすればよい。このサンプリングのためのクロック信号は、当該映像輝度信号に伴って入力される水平同期信号に同期してクロック生成部１１において生成される。なお、このクロック生成部１１は図４に示したように一般的なＰＬＬ回路で構成されている。位相比較器６６において、入力された水平同期信号と出力するクロック信号を分周器６４で１／Ｎ分周して作った水平同期信号に近い周波数の信号との位相差を検出する。この位相差に基づく誤差信号はＬＰＦ６７を介してＶＣＯ６１および６２に送られ、ＶＣＯ６１および６２の出力するクロック信号の周波数を調整し、前記誤差信号がなくなるように自動的にフィードバック制御を行う。
　【００３０】
　ここで、多くの種類の映像信号の表示を行うためには、広い範囲の水平同期信号周波数に対してＰＬＬの系が成り立つ必要がある。そのためには、広い周波数可変範囲を持ったＶＣＯが必要となるが、一般的には可変範囲の広いＶＣＯは周波数の安定度が低下するので、複数のＶＣＯを適用される周波数範囲によって切り換えて使用するのが得策である。図４の例では２つのＶＣＯ６１と６２を用いており、セレクタ６３は周波数判別部９からの水平方向選択信号に基づいて、使用するＶＣＯの選択を行っている。
　【００３１】
　なお、水平同期信号期間の映像輝度信号にはブランキングと呼ばれる無信号部分があるのが一般的である。このブランキングはブラウン管型の表示装置において帰線期間として用いられるものであり、このブランキングのために有効な映像輝度信号部分は水平同期信号の期間より短くなる。そこで、分周器６４の分周率Ｎの値は水平方向の表示解像度よりその分だけ大きな値とすることが必要で、このブランキングの期間は映像信号の種類によって異なるものであるため、分周率の増量分も映像信号の種類に応じて変えてやる必要がある。このようにして決定された分周器６４の分周率Ｎはプリセット回路６５に設定される
　【００３２】
　このようにして、水平方向および垂直方向の表示解像度（画素数）が固定されたドットマトリクス型表示パネル１に、多種類の映像信号を表示することが可能となる。
　【００３３】
実施例２．
　なお、上記実施例では、周波数判別部９として図２に示したハードウェア構成によるものを示したが、マイクロコンピュータを用いてソフトウェア的に実現するようにしてもよい。そして、このマイクロコンピュータによって、拡大／縮小処理部１０における拡大／縮小の量を入力された映像信号の種類に応じて自動設定したり、クロック生成部１１の位相ロックループ回路内の分周器６４の分周率Ｎを自動設定してそれらの制御を行えば、入力される映像信号の切り換えに対して自動的に追従して、拡大／縮小などの処理を行うことが可能なドットマトリクス型表示装置が容易に実現できる。
　【００３４】
実施例３．
　また、上記実施例では、クロック生成部１１として入力される水平同期信号の位相調整を特に行っていないものを示したが、位相比較器６６に入力される水平同期信号の位相をクロック信号の１周期程度の可変範囲で連続的に変化させる機能を持たせ、その水平同期信号の位相設定を周波数判別部９を形成するマイクロコンピュータを用いて行うようにしてもよい。このように位相比較器６６に入力される水平同期信号の位相を変化させることにより、生成するクロック信号の位相を映像信号に対して相対的に変化させることが可能となるため、Ａ／Ｄ変換部５におけるサンプリング位相を選択することができるようになる。このような機能は、水平方向の表示解像度と映像信号の水平方向の解像度が等しい時に有益なものとなる。
　【００３５】
実施例４．
　また、上記実施例２および３では、クロック生成部１１の分周器６４の分周率Ｎや入力される水平同期信号の位相設定を、周波数判別部９を形成するマイクロコンピュータを用いて行う場合について説明したが、それらを外部から入力される信号によってリモートコントロールで設定するようにしてもよい。なお、その場合、分周率Ｎの設定情報はサンプリング数の設定情報として、また水平同期信号の位相の設定情報はクロック信号の位相の設定情報として、オンスクリーン表示機能によってそれぞれドットマトリクス型表示パネル１上に表示される。
　【００３６】
実施例５．
　また、上記実施例では、垂直方向縮小処理部３０において、隣接する２ラインの実時間映像輝度信号の間をそれらの加算平均による映像輝度信号で補間し、垂直方向を２／３に縮小する場合について説明したが、縮小率が３／４や４／５となる場合などにおいても、隣接した２ラインの実時間映像輝度信号の間を、さらに細かく演算した補間用映像輝度信号で補間することにより、縮小率２／３の場合と同様な垂直方向の映像の滑らかさを得ることができる。図７はその一例を示す説明図で、図中に実線で示す実時間映像輝度信号ＡとＢの間に、次式で算出した図中に二点鎖線で示す３種類の補間用映像輝度信号ａ，ｂ，ｃを挿入し、これらの映像輝度信号に対して、５ラインにつき４ラインの間引きを行うことによって垂直方向を４／５に縮小している。
　【００３７】
　　ａ＝（３／４）Ａ＋（１／４）Ｂ
　　ｂ＝（１／２）Ａ＋（１／２）Ｂ
　　ｃ＝（１／４）Ａ＋（３／４）Ｂ
　なお、補間用映像輝度信号の精度を向上させるため、前記隣接した２ラインの実時間映像輝度信号のさらに外側の実時間映像輝度信号も加えて補間用映像輝度信号の演算を行う手法もある。
　【００３８】
実施例６．
　また、上記実施例では、垂直方向拡大処理部４０において、１ライン分の実時間映像輝度信号を倍速読み出しによって２ライン分の表示信号にあてるものを示したが、ラインメモリ４１および４２を垂直方向縮小処理部３０と同様の構成とし、図８に示すように、実線で示す実時間映像輝度信号の間に一点鎖線で示す補間用映像輝度信号を挿入して補間し、それらを交互に読み出すことによって拡大時においても縮小時と同様な垂直方向の映像の滑らかさを得ることができる。
　【００３９】
実施例７．
　また、上記実施例では、水平方向のサンプリング数が表示解像度と一致するようにクロック信号の周波数を変化させる場合について説明したが、クロック信号の周波数をアナログ信号による映像輝度信号が有する周波数の２倍以上の周波数に固定しておき、垂直方向で行った演算と同様の演算による補間処理を行うことによって、最適な位相のディジタル信号による映像輝度信号を得ることも可能である。
　【００４０】
実施例８．
　また、上記実施例では、映像輝度信号が単色である場合を示したが、光の３原色による赤（Ｒ）、緑（Ｇ）、青（Ｂ）の３成分で構成されているものであってもよく、それにより、カラーのドットマトリクス型表示パネルによるカラー表示も可能となる。
　【００４１】
　【発明の効果】
　以上のように、請求項１に記載の発明によれば、映像輝度信号に伴って供給される水平同期信号および垂直同期信号の周波数を判別する機能と、映像信号を拡大および縮小する機能を連係させて、入力された映像信号の垂直方向の解像度をドットマトリクス型表示パネルの垂直方向の表示解像度に一致させるように構成したので、種々の異なった解像度および同期周波数の映像信号を入力しても、表示解像度の固定されたドットマトリクス型表示パネルに正しく映像を表示することができるドットマトリクス型表示装置が得られる効果がある。
　【００４２】
　また、請求項２に記載の発明によれば、クロック生成部の分周器の分周率を外部からの信号で設定し、当該分周率の設定情報をサンプリング数の設定情報としてオンスクリーン表示するように構成したので、ＰＬＬ回路の分周率を外部よりリモートコントロールで設定することが可能となる効果がある。
　【００４３】
　また、請求項３に記載の発明によれば、入力される水平同期信号の位相を連続的に変化させることを可能とし、その水平同期信号の位相を周波数判別部となるマイクロコンピュータで設定するように構成したので、Ａ／Ｄ変換部におけるサンプリング位相が選択可能となる効果がある。
　【００４４】
　また、請求項４に記載の発明によれば、入力される水平同期信号の位相を連続的に変化させることを可能としてその水平同期信号の位相を外部からの信号で設定し、その位相設定情報をクロック信号の位相設定情報としてオンスクリーン表示するように構成したので、入力される水平同期信号の位相を外部よりリモートコントロールで設定することが可能となる効果がある。
【図面の簡単な説明】
　【図１】
　この発明の実施例１によるドットマトリクス型表示装置を示すブロック図である。
　【図２】
　上記実施例における周波数判別部の構成例を示すブロック図である。
　【図３】
　上記実施例における拡大／縮小処理部の構成例を示すブロック図である。
　【図４】
　上記実施例におけるクロック生成部の構成例を示すブロック図である。
　【図５】
　上記実施例における縮小処理の概念を示す説明図である。
　【図６】
　上記実施例における拡大処理の概念を示す説明図である。
　【図７】
　この発明の実施例５における縮小処理の概念を示す説明図である。
　【図８】
　この発明の実施例６における拡大処理の概念を示す説明図である。
　【図９】
　従来のドットマトリクス型表示装置を示すブロック図である。
　【図１０】
　映像信号の一例を示す波形図である。
　【図１１】
　従来のドットマトリクス型表示装置における映像信号とドットマトリクス型表示パネルの関係を示す説明図である。
　【符号の説明】
　　１　ドットマトリクス型表示パネル
　　５　Ａ／Ｄ変換部（アナログ・ディジタル変換部）
　　９　周波数判別部
　１０　拡大／縮小処理部
　１１　クロック生成部
　３０　垂直方向縮小処理部
　４０　垂直方向拡大処理部
　６４　分周器